(57)【特許請求の範囲】
【請求項１】
救難用に用いられるロープにおいて、
発光ダイオード（ＬＥＤ）或いは有機ＥＬ素子よりなる発光器と、
前記ロープの一端と結合され前記ロープを収納するための収納装置と、
基端側が前記ロープの他端に接続され反対側が前記収納装置の留め金押さえに接続される留め金と、
前記収納装置に収納される充電可能の電池よりなる電源と、
前記留め金が前記収納装置の前記留め金押さえから外れたときに接となる第１のスイッチと、
前記ロープあるいは前記収納装置が水上に投げ込まれて水面と接触したときに接となる第２のスイッチと、
周囲光が一定値以下になった場合に接となる第３のスイッチと、
前記第１、第２、第３のスイッチが接になった場合、前記発光器を発光させる自動発光ブロックと
を具備することを特徴とする自動発光装置付き救難用ロープ。
【請求項２】
前記第１のスイッチ乃至第３のスイッチのいずれか一つ以上にわたって並列に手動スイッチを設置することを特徴とした請求項１記載の自動発光装置付き救難用ロープ。
【請求項３】
請求項１もしくは２記載の自動発光装置付き救難用ロープにおいて、前記発光器が間欠点灯もしくはコード点灯可能であることを特徴とする自動発光装置付き救難用ロープ。
【請求項４】
請求項１乃至３のうちいずれか１項記載の自動発光装置付き救難用ロープにおいて、前記収納装置に太陽電池が組み込まれたことを特徴とする自動発光装置付き救難用ロープ。
【請求項５】
請求項１乃至４のうちいずれか１項記載の自動発光装置付き救難用ロープにおいて、前記発光器として多色発光のＬＥＤ或いは有機ＥＬ素子が用いられることを特徴とする自動発光装置付き救難用ロープ。
【請求項６】
請求項１乃至５のうちいずれか１項記載の自動発光装置付き救難用ロープにおいて、前記収納装置に水反応の膨張式浮袋を備えることを特徴とする自動発光装置付き救難用ロープ。
【発明の詳細な説明】
【技術分野】
【０００１】
本発明は、格納ケースに格納された自動点灯式の発光装置を備えた救難用ロープに関するものである。
【背景技術】
【０００２】
現在、水難救助においては、溺者に浮き輪やロープを投げて救助するのが一般的である。しかし、暗夜においては慌てている被救難者である溺者が浮き輪やロープを発見するのは難しい。上記浮き輪については、本発明者は夜間に着水すると自動的に点灯する浮き輪の発明思想を特許文献１に開示している。
【０００３】
しかし、浮き輪は投擲に適した形状とは言えず、望みの溺者の至近にうまく投げるのはなかなか難しい。溺者から少し離れたところに投げられても容易にたどり着ける工夫が必要である。
【０００４】
また、溺者に救助ロープを投げる場合は、暗夜ではロープの位置を発見するのが難しいが、特許文献２のごとくロープを発光させて発見を容易にしている例がある。しかし、上記特許文献２ではロープに蓄光式の発光体を添加しているが、ロープ自体を明るい場所に置いて蓄光させておかねばならない。救難用ロープはケースに収納している場合が多く、緊急時に肝心の蓄光ができていない場合がある。
【０００５】
特許文献３では、蛍光剤を含有するポリウレタン樹脂によってロープを構成し、その一端から光を導入してロープを自己発光させている。しかし、ロープが長くなるにつれて上記樹脂からの拡散光は減少し、特に溺者を救助するため水中へ投入した場合など、拡散光が弱いうえにロープが水中に沈んでしまうため発見が難しい。
【０００６】
一方、救難用ロープを望みの位置に投げるのは難しく、ロープの一端に重りをつけて投げる方法もあるが、重りのためにかえって水中に沈み易くなってしまう。
【先行技術文献】
【特許文献】
【０００７】
【特許文献１】特開２０１２−２２８９５０号公報
【特許文献２】特開２０００−２２２９０４号公報
【特許文献３】特開２００１−２７９５８７号公報
【発明の概要】
【発明が解決しようとする課題】
【０００８】
前述のような問題点を解決すべく、夜間のような周囲が暗い環境において、救難用ロープを水中に投下した場合、溺者が直ちに救難用ロープの位置を視認できるようロープの要所が発光されるような自動発光装置付き救難用ロープを提供することを本願の課題とする。
【０００９】
また、救難用ロープの長いロープ先端を溺者近くの様な望みの位置に投げられるような自動発光装置付き救難用ロープを提供することをも本願の課題とする。
【００１０】
さらに、救難用ロープを水上に投下する前に電源スイッチを入れ忘れたりすることが無いよう、水上に投下されたとき自動的に発光して視認できるような自動発光装置付き救難用ロープを提供することも本願の課題であり、更に周囲が明るく救難用ロープ自体が容易に視認できる場合は発光せず電池の消耗を抑えるような自動発光装置付き救難用ロープを提供することも本願の課題とするものである。
【課題を解決するための手段】
【００１１】
上記のような各課題を解決するために、本発明に係る自動発光装置付き救難用ロープは、（請求項１）の如く、救難用に用いられるロープにおいて、発光ダイオード（ＬＥＤ）或いは有機ＥＬ素子よりなる発光器を備え、ロープはその一端がロープを収納する収納装置と結合され、ロープ他端は留め金に接続されており、該収納装置に収納される充電可能の電池よりなる電源と、ロープが収納装置から外れたときに接となる第一のスイッチと、該ロープあるいは該収納装置が水上に投げ込まれて水面と接触したときに接となる第２のスイッチと、周囲光が一定値以下になった場合に接となる第３のスイッチとを備えて構成され、該第１、第２、第３のスイッチが接になった場合、上記ロープの発光ダイオード（ＬＥＤ）或いは有機ＥＬ素子よりなる発光器が発光する。
【００１２】
また、（請求項２）の如く、前記第１のスイッチ乃至第３のスイッチのいずれか一つ以上にわたって並列に手動スイッチを設置するような構成とすることもできる。
【００１３】
さらに、（請求項３）の如く、前記ＬＥＤ或いは有機ＥＬ素子よりなる発光器を間欠点灯させて電池の消耗を抑える一方、間欠点灯の間隔及び時間をコード化して、たとえばモールス符号のＳＯＳのようなコード点灯を可能とするような構成とすることもできる。
【００１４】
また、（請求項４）の如く、前記収納装置に電池充電のための太陽電池を組み込むような構成とすることもできる。
【００１５】
さらに、（請求項５）の如く、上記で用いるＬＥＤ或いは有機ＥＬ素子よりなる発光器を多色発光型とし、状況に応じて発光色を選択するような構成とすることもできる。
【００１６】
また、（請求項６）の如く、前記収納装置に水反応の膨張式浮袋を備えるような構成とすることもできる。
【発明の効果】
【００１７】
以上、説明したように、本発明に係る自動発光装置付き救難用ロープは、緊急時に電源スイッチを入れなくとも、ロープ収容装置から外した時点で電源スイッチ１がＯＮとなり、水上に投下された時点で水を感知して電源スイッチ２がＯＮとなり、周囲光を検出して暗い環境では自動的に電源スイッチ３がＯＮとなり、ＬＥＤ或いは有機ＥＬ素子よりなる発光器が点灯して救難用ロープの位置を明確に表示することができる。
【００１８】
本発明に係る自動発光装置付き救難用ロープの上記のような自動点灯機能により、たとえば夜間の緊急時にあわてて電源スイッチを入れそびれ、肝心の救難用ロープの位置を溺者が認識できないという事故を防止することができる。
【００１９】
また、周囲光を検出して、周囲が暗く、浮き物体の位置が確認しづらいときのみＬＥＤ或いは有機ＥＬ素子よりなる発光器を点灯して、周囲が明るく救難用ロープの位置を容易に視認できるときはＬＥＤ或いは有機ＥＬ素子よりなる発光器を点灯せず無駄な電池の消耗を防ぎ、さらに点灯時は間欠点灯として電池の消耗を抑えることができる。
【００２０】
ロープの一端に結合した収容装置をある程度重くしておくことにより、これを投擲時の錘にしてロープを望みの位置に展開することができる。さらに、収容装置に水反応の膨張式浮袋を備えることによりロープ先端位置が浮き上がり、溺者が容易にロープをたどることができる。また、膨張式浮袋付きの収容装置は、溺者にとっては救命浮環の代用としても活用できる。
【００２１】
もちろん、上記の使用方法とは逆に、収納装置に結合されている反対側の掛け金に救命浮環を結合させて投擲すれば、救命浮環までの経路が明るく点灯するため、溺者が容易に救命浮環にたどり着くことができる。
【００２２】
上記においては、主目的である海難救助用としての応用例を説明してきたが、本発明に係る自動発光装置付き救難用ロープは火災時における避難経路に用いれば、視界が限定される火災煙の中で点灯するロープをたどることにより容易に避難をすることができる。
【００２３】
また、夜間救助時にヘリコプターから展開する救難用縄梯子に本発明の自動発光装置付き救難用ロープを用いれば、ヘリコプターの操縦者にとって救難用縄梯子の展開位置がしっかり確認できると共に、非救助者が暗闇でも縄梯子の位置が認識できるため、救難時間の短縮、救難の確実性が向上する。
【図面の簡単な説明】
【００２４】
【図１】本発明の一実施形態に係る自動発光装置付き救難用ロープの一実施例を示す概略図である。
【図２Ａ】本発明の一実施形態に係る自動発光装置付き救難用ロープの収容装置の一例を示す概略図である。
【図２Ｂ】本発明の一実施形態に係る自動発光装置付き救難用ロープの収容装置の他の例を示す概略図である。
【図３Ａ】本発明の一実施形態に係る自動発光装置付き救難用ロープの救難用ロープの構造の一例を示す概略図である。
【図３Ｂ】本発明の一実施形態に係る自動発光装置付き救難用ロープの救難用ロープの他の構造の例を示す概略図である。
【図４】本発明の一実施形態に係る自動発光装置付き救難用ロープのブロックダイヤグラムの一例である。
【図５】本発明の一実施形態に係る自動発光装置付き救難用ロープのシーケンスフローチャートの一例である。
【図６】本発明の一実施形態に係る自動発光装置付き救難用ロープの水検出回路の基本的な一例である。
【図７】本発明の一実施形態に係る自動発光装置付き救難用ロープの周囲光検出回路の基本的な一例である。
【発明を実施するための形態】
【００２５】
以下、図面を参照して本発明の実施形態を説明する。なお、以下では本発明の目的を達成するための説明に必要な範囲を模式的に示し、本発明の該当部分の説明に必要な範囲を主に説明することとし、説明を省略する箇所については公知技術によるものとする。
【００２６】
図１は本発明の一実施形態に係る自動発光装置付き救難用ロープの構成概略図である。後述する発光器を備えた自動発光装置付き救難用ロープ１は一端がロープの収容装置２に接続され、ロープ他端には各種の固定物や装置に接続できる通常使用の留め金３が接続されている。
【００２７】
図２Ａは、上記収容装置２を箱型にした場合の一例である。箱の中にはＬＥＤ或いは有機ＥＬ素子よりなる発光器１ｂを備えた自動発光装置付き救難用ロープ１が、一端を収容装置２に接続され他端の留め金３が収容装置２の留め金押さえ４５に接続された形で収容されている。留め金押さえ４５にはマイクロスイッチ（図示せず）が付いており、留め金押さえ４５に留め金３が接続されている場合はマイクロスイッチの接点はＯＦＦとなっており、ロープ１を収容装置２から取出そうと留め金３を留め金押さえ４５から外すとマイクロスイッチの接点はＯＮとなる。
【００２８】
図１では収容装置２を箱型にしたので、自動発光装置付き救難用ロープ１が飛び出さないように蓋４を付けているが、収容装置２をチャック開閉式のカバン形式としてもよい。
【００２９】
収容装置２には充電電池４２（図示せず）が収容されており、これを充電するための防水コネクタ４３（図示せず）や太陽電池４１が設置されている。更に外光センサ５０、後述する並列スイッチ４８、水検出部４６、膨張式浮袋４７が装備されている。本発明の使用方法の一例としては、収容装置２中の自動発光装置付き救難用ロープ１の一端を留め金押さえ４５から外し、ロープ１全体を収容装置２から取出し、ロープ１の一端の留め金３を固定物に固定し、収容装置２を重り代わりとして溺者至近に投擲する。
【００３０】
上記の如く、本発明による自動発光装置付き救難用ロープ１を展開すると、該ロープ１を留め金から外した時点で第１のスイッチ４４（図示せず）が入り、収容装置２が水中に投擲されると水検出部４６によって第２のスイッチ４９（図示せず）が入り、外光センサ５０が外光を計測し暗闇であれば第３のスイッチ５１（図示せず）が入って発光部５２（図示せず）によってロープ１及び収容装置２の周囲に備えられたＬＥＤ或いは有機ＥＬ素子よりなる発光器１ｂが発光し、溺者がロープ１や収容装置２を容易に発見することができる。
【００３１】
発光部５２はＬＥＤＬＥＤ或いは有機ＥＬ素子よりなる発光器１ｂを単に点灯するだけでなく、間欠点灯したり、多色ＬＥＤを何らかのシーケンスにより点灯する機能を持たせることもできる。
【００３２】
もちろん、収容装置２を投擲する前に並列スイッチ４８をＯＮにすれば、自動発光装置付き救難用ロープ１を第１〜第３のスイッチを経由せず発光させることができる。以上のロープ１の発光シーケンスについては後述する。また、収容装置２を水上に投擲した場合は、収容装置２に接続されたロープが光るばかりでなく、同時に収容装置２の外周に設置されたＬＥＤ或いは有機ＥＬ素子よりなる発光器１ｂが点灯して、収容装置２の位置を明確に表示することができる。
【００３３】
図２Ｂは収容装置２の別の例で、収容装置２を自動発光装置付き救難用ロープ１の巻取り枠状にした例であり、各部の構成は図２Ａと同じである。このように、収容装置２は使用場面、状況によって適した形状とすることが良く、これらはすべて本発明の技術思想に含まれるものである。
【００３４】
図３Ａは、本発明による自動発光装置付き救難用ロープ１の構造の一例を示す図である。この例では、通常ロープの編み組み素材の１つに、長尺フレキシブル基板に複数のＬＥＤ或いは有機ＥＬ素子よりなる発光器１ｂと点灯回路を組込んで透明樹脂でコーティングした、通常のテープライト１ａを編み込んだ形状である。もちろん、テープライトの一端は収容装置２の発光部５２（図示せず）に接続されている。
【００３５】
図３Ｂは本発明による自動発光装置付き救難用ロープ１の他の構造の例を示す図である。この例では、電線１ｆを含む２本のロープ１ｃおよび１ｄの間にＬＥＤ或いは有機ＥＬ素子よりなる発光器１ｂを間欠的に接続し、全体を透明コーティング１ｅで覆った構造である。この場合、ＬＥＤ或いは有機ＥＬ素子よりなる発光器１ｂ中には間欠点灯回路を含んでもよい。上記図３Ａ、図３Ｂの如くロープ１の構造は種々考えられるが、これらは全て本発明の技術思想に含まれるものである。
【００３６】
図４は、本発明の一実施形態に係る自動発光装置付き救難用ロープのブロックダイヤグラムであり、図５はシーケンスフローチャートである。両図を用いて本発明の動作を説明する。収容装置２に設置された太陽電池４１あるいは充電ジャック４３にて充電される充電電池４２からの電源は、留め金押さえ４５に相当する部分に取り付けられた防水型マイクロスイッチのような留め金押さえ４５に取付けられた第１スイッチ４４によって、ロープ一端の留め金３が留め金押さえ４５から外れた時点で水検出部４６に印加される。
【００３７】
水検出部４６はたとえば図６のような回路で構成されており、水検出センサ６１が水に触れるとリレー６２が動作、即ち第２スイッチ４９であるリレー電極が導通し、外光センサ５０に電源が印加される。同時に、膨張式浮袋４７を作動させる作動回路にも電源が印可され、膨張式浮袋４７が膨張して収容装置２が浮力を増して水面に浮かびあがる。なお、膨張式浮袋４７及びその膨張起動方法については公知の技術であるのでここでは説明を省略する。
【００３８】
外光センサ５０は、たとえば図７のような回路で構成されており、フォトレジスタ７１のような周囲光検出素子に入射される光がベース抵抗７２によって設定される設定値より低くなると、すなわち収容装置２の周囲が暗くなると、リレー７３が動作、即ち第３スイッチ５１であるリレー電極がＯＮとなり発光部５２に電源が印加され、ＬＥＤあるいは有機ＥＬ素子よりなる発光器１ｂが点灯する。
【００３９】
一方、何らかの理由で浮き輪を外してすぐ点灯させたい場合は、図４の並列スイッチ４８を手動でＯＮすることによって第２スイッチ４９と第３スイッチ５１とをバイパスしてＬＥＤ或いは有機ＥＬ素子よりなる発光器１ｂを点灯することができる。
【００４０】
図５は、本発明による自動発光装置付き救難用ロープの動作シーケンスを説明するフローチャートで、救難用ロープ１が収容装置２から外されたときから動作がスタートする。その後の動作については上記の説明をわかり易くフローチャートで図示した。
【００４１】
なお、上記の説明では救難用ロープ１の留め金３の付いた一端を救難者側に固定して収容装置２を溺者の至近に投擲する場合について説明したが、収容装置２を救難者側に固定して、留め金３を救命浮環等に取付けて溺者至近に投擲するように運用してもよい。
【産業上の利用可能性】
【００４２】
上記においては、主目的である海難救助用としての応用例を説明してきたが、本発明に係る自動発光装置付き救難用ロープは火災時における避難経路に用いれば、視界が限定される火災煙の中で点灯するロープをたどることにより容易に避難をすることができる。
【００４３】
また、夜間救助時にヘリコプターから展開する救難用縄梯子に本発明の自動発光装置付き救難用ロープを用いれば、ヘリコプターの操縦者にとって救難用縄梯子の展開位置がしっかり確認できると共に、非救助者が暗闇でも縄梯子の位置が認識できるため、救難時間の短縮、救難の確実性が向上する。従って、本願は船舶、観光をはじめとする各種産業において利用可能性を有する。
【符号の説明】
【００４４】
１…自動発光装置付き救難用ロープ、１ａ…テープライト、１ｂ…ＬＥＤ或いは有機ＥＬ素子よりなる発光器、１ｃ…ロープ、１ｄ…ロープ、１ｅ…透明コーティング、１ｆ…電線、２…収容装置、３…留め金、２１…留め金押さえ、４…蓋、４１…太陽電池、４２…充電電池、４３…充電ジャック、４４…第１スイッチ、４５…留め金押さえ、４６…水検出部、４７…膨張式浮袋、４８…並列スイッチ、４９…第２スイッチ、５０…外光センサ、５１…第３スイッチ、５２…発光部、６１…水検出センサ、６２…リレー、７１…フォトレジスタ、７２…ベース抵抗、７３…リレー
【要約】      （修正有）【課題】夜間のような周囲が暗い環境において、救難用ロープを展開した場合、被救難者が容易に視認できる救難用ロープを提供する。【解決手段】救難用ロープ１において、充電可能の電池よりなる電源と救難用ロープが収容装置２から外されたときに接となる第一のスイッチと該収容装置が水上に投げ込まれて水面と接触したときに接となる第２のスイッチと、周囲光が一定値以下になった場合に接となる第３のスイッチと、救難用ロープには発光ダイオード（ＬＥＤ）或いは有機ＥＬ素子よりなる発光器を備え、該救難用ロープが夜間のような周囲が暗い状況において水上に投下された場合、自動的に発光器が発光する。【選択図】図１【図１】
0005922827.tif 000002
【図２Ａ】
0005922827.tif 000003
【図２Ｂ】
0005922827.tif 000004
【図３Ａ】
0005922827.tif 000005
【図３Ｂ】
0005922827.tif 000006
【図４】
0005922827.tif 000007
【図５】
0005922827.tif 000008
【図６】
0005922827.tif 000009
【図７】
0005922827.tif 000010